(57)【要約】【課題】先のオーダの処理に次のオーダの処理を割り込ませた際に、割り込ませたオーダの処理を迅速に行い得る画像出力装置を構成する。【解決手段】画像データ取得手段３３がメディアＭから画像データを取得する際に１つの画像データの取得を１つのステップとして処理を行い、出力制御手段３６で画像データを出力する際に１つの画像データの出力を１つのステップとして処理を行い、割込情報を取得した場合には、割込処理手段３７がステップ同士の間で処理を中断して、他のオーダの処理の実行を許容する。【選択図】図２
2009071349.tif 000002
【特許請求の範囲】
【請求項１】
画像データを取得する取得処理の後に、取得した画像データの出力処理を行う一連の処理をオーダとして実行する画像出力装置であって、
前記取得処理と出力処理との少なくとも一方が複数のステップで構成され、このステップの処理の実行中に他のオーダの実行を要求する割込情報を取得した際には、前記ステップ同士の間でオーダの実行を中断し、前記他のオーダの実行を許容する割込処理手段を備えている画像出力装置。
【請求項２】
前記出力処理が、１つの画像データの出力を１つのステップとして処理を行うと共に、前記割込処理手段は、オーダの実行を中断する際に出力済みの画像データと、未出力の画像データとを区別し得る情報を保存し、前記他のオーダの処理を完了した後には、前記中断情報に基づいて未出力の画像データの出力を再開する処理再開手段を備えている請求項１記載の画像出力装置。
【請求項３】
前記出力処理として、メディアドライブを用いてメディアに画像データを書き込む処理が行われ、この処理が前記割込処理手段によって中断され、前記他のオーダとして、画像データが保存されているメディアを前記メディアドライブに新たにセットして画像データを取得し、出力処理を行うオーダを実行した後には、処理が中断した際のメディアを前記メディアドライブにセットすることにより、中断したオーダの実行を再開するように前記処理再開手段の処理形態が設定されている請求項２記載の画像出力装置。
【発明の詳細な説明】
【技術分野】
【０００１】
本発明は、画像データを取得する取得処理の後に、取得した画像データの出力処理を行う一連の処理をオーダとして実行する画像出力装置に関し、詳しくは、処理を中断し、他のオーダの処理を割り込ませ、そのオーダの処理を実現する技術に関する。
【背景技術】
【０００２】
上記のように構成された画像出力装置として、複数の出力処理（オーダ）をタスクの種類に基づいて分類し、この分類からタスクを行うに処理効率が良好な順序で出力処理を行い、緊急度の高いタスクについては、緊急度の高いタスクから順に出力処理を行い、更に、出力処理中に緊急の依頼を受けた場合には、例えば、ＭＯへの出力が完了した時点などにシステムに自動的に割り込みをかけて、緊急の処理を行うものが存在する（例えば、特許文献１参照）。
【０００３】
【特許文献１】特開平１０‐２３９７８０号公報  （段落番号〔００１８〕、〔００３１〕、〔００３４〕、図１、図２）
【発明の開示】
【発明が解決しようとする課題】
【０００４】
画像出力装置として、ミニラボと称せられる写真プリント装置を例に挙げると、このデジタル処理が可能な写真プリント装置では、デジタルカメラで撮影に使用された半導体メディアから取得した画像データ、あるいは、写真フィルムから取得した画像データを印画紙にプリントする処理形態が一般的であり、取得した画像データをＣＤ−Ｒ等のメディアに書き込む出力処理も行われている。
【０００５】
近年のデジタルカメラの急速な普及に伴い、デジタルカメラで撮影に使用された半導体メディアから画像データを取得して印画紙等のプリント媒体にプリントする処理が一般化している。この半導体メディアの画像データをプリントする処理では、写真フィルムを現像処理する作業や、現像済み写真フィルムをスキャナにセットしてコマ画像を画像データとして取得する作業が不要であり、プリント出力や、ＣＤ−Ｒ等のメディアに書き込む出力を簡便な処理で実現する。
【０００６】
このような理由から、ＤＰ店では顧客に再来店を願わずに、その場でオーダの処理を完了して手渡しを行えるように、顧客からの半導体メディアの受付からプリントの仕上げまでを短時間に行うことも行われつつある。
【０００７】
また、写真プリント装置での処理としては、仕上げまでに時間的な余裕があるオーダと、早急な仕上げを要求されるオーダとが存在するものであり、仕上げまでに時間的な余裕があるオーダの実行中に、早急な仕上げが要求されるオーダを割り込ませる形態で処理を行いたい面もある。
【０００８】
しかしながら、特許文献１に記載されているように、１つのオーダにおける処理をタスクと捉え、タスクが完了した時点で割込を許すものでは、早急な仕上げを実現し難く改善の余地がある。
【０００９】
本発明の目的は、先のオーダの処理に次のオーダの処理を割り込ませた際に、割り込ませたオーダの処理を迅速に行い得る画像出力装置を合理的に構成する点にある。
【課題を解決するための手段】
【００１０】
本発明の特徴は、画像データを取得する取得処理の後に、取得した画像データの出力処理を行う一連の処理をオーダとして実行する画像出力装置であって、
前記取得処理と出力処理との少なくとも一方が複数のステップで構成され、このステップの処理の実行中に他のオーダの実行を要求する割込情報を取得した際には、前記ステップ同士の間でオーダの実行を中断し、前記他のオーダの実行を許容する割込処理手段を備えている点にある。
【００１１】
この構成により、割込処理手段が、取得処理と出力処理との一方を構成する複数のステップの間で、そのオーダの実行を中断し、他のオーダの実行を許すものとなり、例えば、先のオーダの出力処理が完了する以前に、他のオーダを割り込ませ、この割り込ませたオーダの処理を実現できる。従って、先のオーダの処理に次のオーダの処理を割り込ませ、この割り込ませたオーダの処理を迅速に行い得る画像出力装置が合理的に構成された。
【００１２】
本発明は、前記出力処理が、１つの画像データの出力を１つのステップとして処理を行うと共に、前記割込処理手段は、オーダの実行を中断する際に出力済みの画像データと、未出力の画像データとを区別し得る情報を保存し、前記他のオーダの処理を完了した後には、前記中断情報に基づいて未出力の画像データの出力を再開する処理再開手段を備えても良い。これによると、他のオーダの処理を完了した後には、割り込みによって中断していたオーダの処理を処理再開手段が再開することにより、その処理を完了できる。
【００１３】
本発明は、前記出力処理として、メディアドライブを用いてメディアに画像データを書き込む処理が行われ、この処理が前記割込処理手段によって中断され、前記他のオーダとして、画像データが保存されているメディアを前記メディアドライブに新たにセットして画像データを取得し、出力処理を行うオーダを実行した後には、処理が中断した際のメディアを前記メディアドライブにセットすることにより、中断したオーダの実行を再開するように前記処理再開手段の処理形態が設定されても良い。これによると、先のオーダではメディアドライブを用いて画像データをメディアに書き込む処理が行われており、この処理を中断して、他のオーダによる割り込み処理としてメディアドライブに新たにメディアをセットして画像データを取得し、出力処理を行うことで、他のオーダの処理が完了した場合には、先のオーダのメディアをメディアドライブにセットすることにより、処理再開手段がメディアドライブに画像データを書込む処理を再開する。特に、先のオーダのメディアをメディアドライブにセットした際に、このようにセットしたメディアが先の処理において処理を中断したメディアであることを確認して表示するように処理形態を設定した場合には、誤ってメディアをセットする不都合を抑制して確実な処理を実現する。
【発明を実施するための最良の形態】
【００１４】
以下、本発明の実施形態を図面に基づいて説明する。
〔全体構成〕
図１に示すようにオペレート部Ａとプリント部Ｂとを備えて画像出力装置が構成されている。前記オペレート部Ａは、コンソール部１０に対して写真フィルムＦ（メディアＭの一例）のコマ画像を光電変換によりデジタル信号化された画像データとして取得するフィルムスキャナ１１と、各種情報を表示するディスプレイ１２と、取得した画像データを出力処理に対応したデータに変換する処理等を実現するコンピュータで成る画像処理ユニット１３とを配置している。コンソール部１０の上面にはキーボード１４と、ポインティングデバイスとして機能するマウス１５とを備えている。
【００１５】
前記画像処理ユニット１３は、半導体型メディアＭｓからデジタル信号化された画像データを取得するメディアドライブ１６と、ディスク型メディアＭｄからデジタル信号化された画像データを取得するメディアドライブ１７とを備えている。
【００１６】
尚、半導体型メディアＭｓとして、コンパクトフラッシュ（ Compact Flash・商標）、ＳＤメモリカード（SD memory card・商標）、メモリースティック(Memory Stick・商標)等を想定しており、ディスク型メディアＭｄとしてＣＤ（Compact Disc）、ＣＤ−Ｒ（ＣＤ−Recordable）、ＭＯ（Magnet Optical Disk）等を想定している。
【００１７】
前記プリント部Ｂは、筐体２０の内部において、プリントサイズに切断した銀塩式の印画紙Ｐを露光部に搬送し、この露光部においてレーザビームにより画像データの露光を行い、この露光後の印画紙Ｐを現像処理槽に搬送して現像処理を行う。次に、この現像処理後の印画紙の乾燥処理を行った後に筐体２０の上部から水平方向に送り出し、更に、この印画紙Ｐを搬送ベルト２１からソータ２２の複数のトレイ２３に対してオーダ単位で仕分けて集積するように構成されている。
【００１８】
前記画像処理ユニット１３は、前述のようにフィルムスキャナ１１によって取り込んだ画像データ、あるいは、前記メディアドライブ１６、１７を介してメディアＭ（半導体型メディアＭｓ、ディスク型メディアＭｄの上位概念）から取り込んだ画像データを半導体メモリ３１や、ハードディスクＨＤ（図２を参照）等のストレージに記憶する処理を行う。また、この画像処理ユニット１３は、プリント対象となる画像データをディスプレイ１２に表示し、前記キーボード１４を介してオペレータが入力する情報に基づいてプリント枚数やプリントサイズ等のオーダデータの設定を実現する。特に、本発明の画像処理ユニット１３は、メディアＭから画像データを取得するものに限らず、例えば、インターネットやＬＡＮ等の通信ネットワークから画像データを取得しても良い。
【００１９】
〔制御構成〕
図２に示すように、前記画像処理ユニット１３は、情報を処理するマイクロプロセッサＣＰＵを備えている。このマイクロプロセッサＣＰＵは、前記ディスプレイ１２、キーボード１４、マウス１５、フィルムスキャナ１１、メディアドライブ１６、１７夫々との間で情報のアクセスを行う。また、このマイクロプロセッサＣＰＵは、ＲＡＭ等で成る半導体メモリ３１、オペレーティングシステム３２、画像データ取得手段３３、オーダデータ取得手段３４、出力データ生成手段３５、出力制御手段３６、割込処理手段３７、処理再開手段３８、ハードディスクＨＤ、通信ユニット３９夫々の間で情報のアクセスを行う。尚、通信ユニット３９は前記プリント部Ｂとの間で情報のアクセスを行う。
【００２０】
画像データ取得手段３３、オーダデータ取得手段３４、出力データ生成手段３５、出力制御手段３６、割込処理手段３７、処理再開手段３８夫々は前記半導体メモリ３１に展開されるソフトウエアを想定しているが、ロジック等のハードウエアで構成して良く、また、ハードウエアとソフトウエアとの組み合わせによって構成しても良い。
【００２１】
前記オペレーティングシステム３２は、半導体メモリ３１を管理すると共に、ソフトウエアを半導体メモリ３１に展開して処理の実行を実現する。また、このオペレーティングシステム３２は、前記キーボード１４やマウス１５から入力される情報を取得して、実行中の処理に与えるインタフェースとしても機能する。
【００２２】
前記画像データ取得手段３３は、前記フィルムスキャナ１１あるいはメディアドライブ１６、１７から画像データを取得し、前記半導体メモリ３１あるいはハードディスクＨＤに保存する。
【００２３】
前記オーダデータ取得手段３４は、前記ディスプレイ１２に対してプレジャッジ画面（図示せず）を表示し、このプレジャッジ画面に対して前記画像データ取得手段３３が取得した画像データをサムネイル形式で一覧化して表示し、この表示に対するオペレータの操作に基づき出力対象とする画像データを特定する情報、及び、プリント処理におけるプリント枚数等の情報を取得する。
【００２４】
前記出力データ生成手段３５は、オーダデータに基づいて出力対象の画像データを、出力に適した構造の画像データに変換する。前記出力制御手段３６は、出力対象の画像データを前記プリント部Ｂに出力することにより印画紙Ｐに対するプリントする（出力する）処理を実現する、又は、画像データを前記メディアドライブ１６、１７に出力することにより半導体型メディアＭｓ、ディスク型メディアＭｄに対して画像データを書込む（出力する）処理を実現する。尚、メディアドライブ１７にディスク型メディアＭｄをセットして画像データを書き込む処理は、電子アルバムの作製と称されている。
【００２５】
前記割込処理手段３７は、この画像出力装置のメディアドライブ１６、１７において画像データを取得している際、あるいは、プリント部Ｂにおいて画像データがプリントされている（出力されている）際、あるいは、例えば、メディアドライブ１７において画像データがディスク型メディアＭｄに書き込まれている（出力されている）際において、オペレータの操作に基づいた割込情報を取得した際に、前記画像データの取得、プリント、書き込み等を中断（オーダの実行を中断）し、他のオーダの実行を許容する。
【００２６】
前記処理再開手段３８は、前記他のオーダを実行した後に、中断されたオーダについて、既に出力が済んでいるものを除き、残りの画像データの出力を実現する。これら割込処理手段３７と処理再開手段３８との処理は後述する。
【００２７】
〔画像処理ユニットの処理の特徴〕
本発明の画像処理ユニット１３では、図３のフローチャートに示す処理が行われる。つまり、所定のオーダにおいて画像データを出力する画像出力処理（＃１００ステップ）の実行時には図７に示すように、実行ダイアログ５０が表示される。この実行ダイアログ５０には、処理の進捗状況を経過表示部５１においてバーグラフ的に表示すると共に、中断ボタン５２とキャンセルボタン５３とが表示される。
【００２８】
この画像出力処理（＃１００ステップ）とは、後述するように、メディアＭから画像データを取得する取得処理の後に、画像データのプリントなどの出力処理を行う一連の処理である。
【００２９】
このオーダの処理が完了しないうちに、中断ボタン５２をカーソルで選択して操作した場合には（＃０１ステップ）、前記割込処理手段３７が、実行中の画像出力処理を中断すると共に、他のオーダを割り込ませる形態で、その処理の実行を許容する（＃０２、＃０３ステップ）。そして、他のオーダの処理が完了した場合には、前記処理再開手段３８が、中断しているオーダの処理を再開する再開処理を行い（＃２００ステップ）、このように再開した処理を完了するまで行う（＃０４ステップ）。
【００３０】
尚、中断ボタン５２が操作されない場合には、画像出力処理（＃１００ステップ）が、そのまま完了するまで行われる。更に、フローチャートには示していないが、キャンセルボタン５３が操作された場合には、既に取得されている情報を破棄して処理がキャンセルされる。
【００３１】
〔画像出力処理〕
前記画像出力処理（＃１００ステップ）の処理をサブルーチンとして図４のフローチャートのように示すことが可能である。つまり、この画像出力処理では、メディアＭから画像データを取得する取得処理の後、取得した画像データの出力処理を行う一連の処理が行われる。
【００３２】
取得処理では、１つの画像データの取得を１つのステップとするステップ単位で取得を行い、取得対象とした画像データの取得が完了する以前に割込情報を取得した場合（前記中断ボタン５２が操作された場合）には、前記割込処理手段３７が、ステップ同士の間（中間）で処理を中断すると共に、取得した画像データと、中断位置を示す情報とをオーダ情報に関連付けて半導体メモリ３１やハードディスクＨＤに保存する（＃１０１〜＃１０４ステップ）。
【００３３】
前記ステップ単位で取得を行う処理形態とは、例えば、複数の画像データを指定して一括して画像データを取得するような処理ではなく、例えば、１つの画像データの取得が完了する毎に、次の処理への移行の可否の判断を割込処理手段３７が自動的に行う処理として捉え得るものである。つまり、処理を中断する割込情報は決まったタイミングで取得されるものではなく、所定のステップの処理の実行途中に取得されることもある。このような理由から、割込処理手段３７は、夫々のステップの完了時に、次の処理（ステップ）への移行の可否の判断を行うことにより、割込情報の取得タイミングに最も近いタイミングで処理の中断を行える。また、前記中断位置を示す情報とは、中断位置までに処理が行われた画像データの数や、中断位置の直前の画像データを特定し得るファイル名を含むもの等が考えられる。
【００３４】
また、画像データの取得が完了した後に、割込情報を取得した場合（前記中断ボタン５２が操作された場合）には、前記割込処理手段３７が、次の処理への移行を中断すると共に、既に取得している画像データと、中断位置を示す中断情報とをオーダ情報に関連付けて半導体メモリ３１やハードディスクＨＤに保存する（＃１０５、＃１０６ステップ）。
【００３５】
このフローチャートでは、前記ディスプレイ１２に対してプレジャッジ画面（図示せず）を表示し、このプレジャッジ画面に対して前記画像データ取得手段３３が取得した画像データをサムネイル形式で一覧化して表示し、オペレータの操作に基づいて出力対象とする画像データを特定する等の情報を設定する処理（＃１０７ステップ）を、この後に行うように処理順序を記載している。尚、この処理を前記＃１０５ステップの以前に行うものであっても良い。
【００３６】
また、出力処理として、この画像出力装置では、プリント部Ｂにおいて印画紙Ｐへのプリント処理と、前記メディアドライブ１７にＣＤ−ＲやＤＶＤ−Ｒ等のディスク型メディアＭｄをセットして、画像データを書込む処理との少なくとも一方を想定している。何れの処理においても、１つの画像データの出力を１つのステップとして出力するステップ単位での処理を行い、出力対象とした画像データの出力が完了する以前に割込情報を取得した場合（前記中断ボタン５２が操作された場合）には、ステップ同士の間（中間）で処理を中断すると共に、取得している画像データと中断位置を示す情報とをオーダ情報に関連付けて半導体メモリ３１やハードディスクＨＤに保存する（＃１０８〜＃１１０ステップ）。
【００３７】
特に、前記メディアドライブ１７として、記録面の反対側の面に情報をインクジェット方式でプリントするプリントヘッドを備えたものや、記録面に情報を記録する構造を用いて記録面に視認可能な情報を形成する機能（情報の書き込みの有無によって記録面の光線の反射率が変化する特性を利用した機能）を備えているものでは、前述したようにディスク型メディアＭｄに画像データを書き込む処理を中断する場合に、このディスク型メディアＭｄの識別を容易にするために、記録面の反対側にオーダを特定し得る情報をプリントすることや、記録面の一部にオーダを特定し得る情報を形成しても良い。
【００３８】
前記ステップ単位で出力を行う処理形態とは、例えば、複数の画像データを指定して一括して画像データを出力するような処理ではなく、例えば、１つの画像データの出力が完了する毎に、次の処理への移行の可否の判断を行う処理として捉え得るものである。
【００３９】
特に、この中断位置を示す情報が、出力済みの画像データと、未出力の画像データとを区別し得る情報として機能する。また、この中断位置を示す情報とは、前述したものと同様に、中断位置までに処理が行われた画像データの数や、中断位置の直前の画像データを特定し得るファイル名を含むもの等が考えられる。
【００４０】
尚、ディスク型メディアＭｄに画像データを書き込む処理が中断された場合には、図８に示す確認ダイアログ５５が表示され、このディスク型メディアＭｄをメディアドライブ１７から取り出した場合には、このディスク型メディアＭｄをメディアドライブ１７に再セットすることで処理を再開する旨のメッセージを表示し、確認のためのＯＫボタン５６を表示する。
【００４１】
前述した他のオーダの画像出力処理では、前記メディアドライブ１７に対して、画像データが記録されているディスク型メディアＭｄをセットし、そのディスク型メディアＭｄから画像データを取得し、その画像データをプリントする等の処理を含むものである。従って、このような処理が割り込んだ場合には、メディアドライブ１７からディスク型メディアＭｄを一旦取り出し、この割り込みによる処理が完了した後に、再度ディスク型メディアＭｄをセットすることにより、画像出力処理が中断されたメディアＭであることの確認が行われ、確認された場合には、ディスプレイ１２に確認メッセージを表示した後に処理が再開される。
【００４２】
前記再開処理（＃２００ステップ）では、前記処理再開手段３８が中断位置を示す情報を取得し、中断したタイミングを判別する（＃２０１ステップ）。
【００４３】
そして、画像データの取得途中に中断したことが判別された場合には、中断位置を示す情報に基づいて、中断位置を示す情報から既に取得している画像データは取得せず、未取得の画像データの取得を行う処理から取得処理を再開する（＃２０２、＃２０３）。
【００４４】
具体例を挙げると、半導体型メディアＭｓとディスク型メディアＭｄとの何れであっても、画像データを取得する途中で、取得する処理が中断した場合には、この後に割り込んだオーダの処理（他のオーダの処理）が実行され、この割り込んだ処理（前記他のオーダの実行）が完了した後には、メディアドライブにセットされているメディアＭから画像データの取得が開始される。また、他のオーダの実行時にメディアドライブからメディアＭが取り外されている場合には、割り込んだ処理が完了した後に、処理が中断した際のメディアＭをメディアドライブに再びセットすることにより画像データを取得する処理が再開される。
【００４５】
尚、メディアドライブにメディアＭをセットした際には、既に取得している画像データとメディアＭに保存されている画像データとの比較（ファイル名やデータ量を含めた比較）により、処理が中断したメディアＭであることが特定され、中断位置の次のステップから画像データの取得が再開される。
【００４６】
また、画像データの取得直後に中断したことが判別された場合には、中断位置を示す情報に基づいて、次の処理を再開する（＃２０４、＃２０５ステップ）。
【００４７】
この処理ではステップ単位での中断ではないが、割り込んだ処理（前記他のオーダの実行）が完了した後には、中断された位置の次の処理（出力処理）が開始される。
【００４８】
また、画像データの出力途中に中断したことが判別された場合には、中断位置を示す情報に基づいて、未出力の画像データの出力を行う処理から出力処理を再開する（＃２０６、＃２０７ステップ）。この＃２０７ステップの処理については具体例を挙げて〔再開処理〕として後述する。
【００４９】
尚、＃２０６ステップでも行うべき処理が判定できない場合、つまり、中断位置を示す情報等が消滅している場合にはエラー表示を行う（＃２０８ステップ）。
【００５０】
〔再開処理〕
特に、画像出力処理において、所謂、電子アルバムを作成する処理としてメディアドライブ１７にＣＤ−ＲやＤＶＤ−Ｒ等のディスク型メディアＭｄをセットして画像データの書き込みを行っている途中で処理が中断され、このメディアドライブ１７からディスク型メディアＭｄを取り出し、割り込んだ処理（前記他のオーダの実行）が実行され、この割り込んだ処理が完了した後には、他のオーダの画像データが保存されたＣＤ等を新たにセットして画像データを取得し、取得した画像データをプリントする等の出力処理が行われるものであり、この処理は、以下のように実行される。
【００５１】
つまり、先のオーダの処理を中断して、割り込んだ処理（前記他のオーダの実行）が行われ、この割り込んだ画像出力処理が完了した後には、図６のフローチャートに示すように、そのオーダのディスク型メディアＭｄをメディアドライブ１７から取り出し、先のオーダのディスク型メディアＭｄをメディアドライブ１７にセットすることになる。
【００５２】
このようにメディアドライブ１７にディスク型メディアＭｄをメディアドライブ１７にセットした場合には、ディスク型メディアＭｄに既に書き込まれている画像データの存否（書き込みの有無）を判別し、存在しない場合には、未使用のディスク型メディアＭｄであることを示すメッセージをディスプレイ１２に表示する（＃３０１、＃３０２ステップ）。
【００５３】
また、ディスク型メディアＭｄに画像データが存在する場合に、ディスク型メディアＭｄに既に書き込まれている画像データに基づいてオーダを特定し、処理が中断しているオーダの情報と比較し、一致するオーダが存在しない場合には、一致するオーダが存在しないことを示すメッセージをディスプレイ１２に表示する（＃３０３〜＃３０６ステップ）。
【００５４】
ディスク型メディアＭｄに既に存在する画像データに基づいてオーダを特定する場合には、中断位置を示す情報に基づいてディスク型メディアＭｄに書き込まれている画像データのファイル名と、夫々の画像データのファイルのデータ量とが比較され、一致するものを書き込み処理が中断したディスク型メディアＭｄと判別する。
【００５５】
これによってオーダが一致することが判別された場合には、画像出力処理が中断されたメディアＭであることの確認が行われ、一致することが確認された場合には、ディスプレイ１２に確認メッセージを表示した後に、そのディスク型メディアＭｄに対して未書き込みの画像データの書き込みを再開し、書き込み対象とした残りの全ての画像データの書き込みが行われる（＃３０５、＃３０７、＃３０８ステップ）。
【００５６】
従って、出力対象の画像データをディスク型メディアＭｄに書き込む処理の途中で処理が中断した場合でも、そのディスク型メディアＭｄを再度メディアドライブ１７にセットすることにより、そのディスク型メディアＭｄに既に書き込まれている画像データからディスク型メディアＭｄが判別され、書き込まれていない画像データの書き込みが行われるのである。
【００５７】
〔発明の概念〕
このように、本発明の画像出力装置では、所定のオーダにおいて画像データの取得開始から画像データの出力の完了までの間に、処理を中断して、他のオーダを割り込ませて画像出力処理を可能にすることにより、例えば、仕上げまでに時間的な余裕があるオーダの実行中に、早急な仕上げが要求されるオーダを割り込ませる形態での処理を実現する。また、この割り込みによる画像出力処理が完了した場合には、先に行われていたオーダの出力処理を実現できる。
【００５８】
特に、本発明の画像出力処理では、画像データの取得時には１つの画像データを取得する処理を１ステップに設定し、ステップ同士の間で中断を行えるように処理形態を設定すると共に、画像データの出力時にも１つの画像データを出力する処理を１ステップに設定しており、ステップ同士の間で中断を行えるように処理形態を設定している。更に、この中断の後に、他のオーダの出力処理を完了した後には、中断されたオーダの画像出力処理の途中から処理を再開できるので、先に行われていた処理を適正に完了できるものとなっている。
【図面の簡単な説明】
【００５９】
【図１】画像出力装置の斜視図
【図２】画像処理ユニットの制御系を示すブロック回路図
【図３】画像出力装置の基本的な処理形態を示すフローチャート
【図４】画像出力処理のフローチャート
【図５】再開処理のフローチャート
【図６】メディアをメディアドライブにセットした際の再開処理のフローチャート
【図７】実行ダイアログを示す図
【図８】確認ダイアログを示す図
【符号の説明】
【００６０】
１６、１７    メディアドライブ
３７          割込処理手段
３８          処理再開手段
Ｍ            メディア
【図１】
2009071349.tif 000003
【図２】
2009071349.tif 000004
【図３】
2009071349.tif 000005
【図４】
2009071349.tif 000006
【図５】
2009071349.tif 000007
【図６】
2009071349.tif 000008
【図７】
2009071349.tif 000009
【図８】
2009071349.tif 000010